(57)【特許請求の範囲】
【請求項１】
固体照明負荷に電力を供給するために主電源からの電力を変換する電力変換器デバイスであって、
出力段のブーストインバータ及び出力段インバータとして機能するハーフブリッジインバータを含み、前記ハーフブリッジインバータは複数のスイッチを含み、前記出力段は共振コンデンサを含む、コンバータと、
前記ハーフブリッジインバータ内の前記複数のスイッチにスイッチング信号を提供することによって、前記電力変換器デバイスの主電源入力電流及び出力電流を独立して制御する制御回路であって、前記スイッチング信号はデューティサイクル、周波数、及びサイクルスキッピングデューティサイクルを有する、前記制御回路と、
を含み、
前記制御回路は、第１及び第２の閾値信号を使用して前記スイッチング信号を提供し、前記第２の閾値信号は前記共振コンデンサにおいて測定されたコンデンサ電圧と基準コンデンサ電圧との差に基づく、電力変換器デバイス。
【請求項２】
前記第１の閾値信号は前記出力電流と基準出力電流との差に基づく、請求項１に記載の電力変換器デバイス。
【請求項３】
前記基準コンデンサ電圧は、測定された主電源電圧、測定されたバス電圧、及び、測定された主電源入力電流と基準主電源入力電流との差から導出される基準デューティサイクル信号から決定される、請求項２に記載の電力変換器デバイス。
【請求項４】
前記制御回路は、スキッピング動作を実施するために、状態変数を、前記第１及び第２の閾値信号の各々と比較することによって前記スイッチング信号を発生させる状態変数監視回路を含む、請求項３に記載の電力変換器デバイス。
【請求項５】
前記状態変数監視回路は、
前記第１及び第２の閾値信号の合計を前記コンデンサ電圧と比較して、オフ信号を提供する第１の比較器と、
前記第１及び第２の閾値信号間の差を前記コンデンサ電圧と比較して、オン信号を提供する第２の比較器と、
前記第１の比較器からの前記オフ信号と、前記第２の比較器からのオン信号とに基づいて前記スイッチング信号を発生させるフリップフロップと、
を含む、請求項４に記載の電力変換器デバイス。
【請求項６】
前記フリップフロップは更に、前記基準デューティサイクル信号から導出されるイネーブル信号及びリスタート信号に基づいて前記スイッチング信号を発生させる、請求項５に記載の電力変換器デバイス。
【請求項７】
前記イネーブル信号及び前記オフ信号は、前記スイッチング信号のパルスの終わりを示し、前記リスタート信号及び前記オン信号は、前記スイッチング信号のパルスの始まりを示す、請求項６に記載の電力変換器デバイス。
【請求項８】
前記制御回路は、前記フリップフロップの出力及び前記測定された主電源電圧の符号を表す信号に排他的ＯＲ演算を行い、これにより、前記ハーフブリッジインバータが集積主電源整流器として更に機能するように、前記スイッチング信号を提供するために前記測定された主電源電圧の正符号において前記フリップフロップの前記出力を反転させる論理ゲートを更に含む、請求項７に記載の電力変換器デバイス。
【請求項９】
前記制御回路は、
前記第１の閾値信号と前記第２の閾値信号とを受け取る信号発生器回路と、
主電源入力電流と基準主電源入力電流との差に基づく内部基準デューティサイクル信号に呼応してイネーブル信号を提供するタイマブロックと、
前記イネーブル信号に呼応してリスタート信号を提供するモノフロップと、
を含み、
前記イネーブル信号及び前記リスタート信号は、前記信号発生器回路に、前記サイクルスキッピングデューティサイクルに従って前記デューティサイクルを選択的に中断させる、請求項２に記載の電力変換器デバイス。
【請求項１０】
前記信号発生器回路は、
前記コンデンサ電圧を前記第１及び第２の閾値信号の合計と比較して、第１の比較結果を出力する第１の比較器と、
前記コンデンサ電圧を、前記第１及び第２の閾値信号間の差と比較して、第２の比較結果を出力する第２の比較器と、
前記第１の比較結果及び前記イネーブル信号を受け取り、オフ信号論理結果を出力する第１の論理ゲートと、
前記第２の比較結果及び前記リスタート信号を受け取り、オン信号論理結果を出力する第２の論理ゲートと、
前記オフ信号論理結果及び前記オン信号論理結果に呼応して前記スイッチング信号を発生させるフリップフロップと、
を含む、請求項９に記載の電力変換器デバイス。
【請求項１１】
前記フリップフロップは、ＲＳフリップフロップを含み、前記オフ信号論理結果は、前記ＲＳフリップフロップのリセット入力部に入力され、前記オン信号論理結果は、前記ＲＳフリップフロップのセット入力部に入力され、前記スイッチング信号が、前記ＲＳフリップフロップの出力部から出力される、請求項１０に記載の電力変換器デバイス。
【請求項１２】
前記第１及び第２の論理ゲートの各々が、ＯＲ論理ゲートを含む、請求項１１に記載の電力変換器デバイス。
【請求項１３】
前記制御回路は、
主電源電圧と、前記電力変換器デバイスのバスコンデンサにおいて測定されたバス電圧とを乗算し、前記基準主電源入力電流を出力する第１の乗算器と、
前記主電源入力電流と、前記第１の乗算器によって出力された前記基準主電源入力電流との前記差を決定する減算器と、
前記主電源電圧と、前記バス電圧と、前記減算器によって決定された前記主電源入力電流と前記基準主電源入力電流との前記差に基づくフィードバック基準デューティサイクルとを乗算し、前記基準コンデンサ電圧を出力する第２の乗算器と、
を更に含む、請求項９に記載の電力変換器デバイス。
【請求項１４】
前記制御回路は、
前記基準出力電流と前記出力電流との前記差を積分し、前記第１の閾値信号を提供する第１の比例積分器と、
前記基準コンデンサ電圧と前記コンデンサ電圧との前記差を積分し、前記第２の閾値信号を提供する第２の比例積分器と、
を更に含む、請求項１３に記載の電力変換器デバイス。
【請求項１５】
前記制御回路は、
前記主電源入力電流と前記基準主電源入力電流との前記差を積分し、内部基準デューティサイクル信号を出力する第３の比例積分器を更に含む、請求項１４に記載の電力変換器デバイス。
【発明の詳細な説明】
【技術分野】
【０００１】
本発明は、概して固体照明負荷の電力変換に関する。より具体的には、本明細書に開示される様々な本発明の方法及び装置は、集積主電源整流器、ブーストインバータ及び出力段インバータとして機能し、固体照明負荷に対し力率改善を提供するハーフブリッジインバータを有する電力変換器に関する。
【背景技術】
【０００２】
デジタル照明技術、即ち、発光ダイオード（ＬＥＤ）といった半導体光源に基づく照明は、従来の蛍光灯、ＨＩＤ、及び白熱灯に代わる実行可能な代替案を提供する。ＬＥＤの機能上の利点及び便益には、他の多くの利点及び便益に加えて高エネルギー変換及び光効率、耐久性、並びに低操作コストが含まれる。ＬＥＤ技術の最近の進歩によって、多くの用途において様々な照明効果を可能にする効率的でロバストなフルスペクトル照明源が提供されている。これらの照明源を具現化する器具の幾つかは、例えば赤、緑、及び青といった様々な色を生成できる１つ以上のＬＥＤと、例えば米国特許第６，０１６，０３８号及び第６，２１１，６２６号に詳細に説明される、様々な色及び色変化照明効果を発生させるためにＬＥＤの出力を独立制御するプロセッサとを含む照明モジュールを特徴とする。
【０００３】
通常、直列に接続された一連のＬＥＤといった複数のＬＥＤに基づく光源を含むＬＥＤベース照明ユニット又はＬＥＤ負荷は、主電源から電圧及び電流を受け取る電力変換器によって駆動される。力率改善（「ＰＦＣ」）が組み込まれた電力変換器は、特に蛍光灯安定器に関して、様々なものがある。一般に、電力変換器は２つのグループに分けられる。第１のグループは、逆変換された電力の一部を整流された主電源にフィードバックして主電源入力電力を整形する電力変換器を含む。これは、フィードバック電流及び／又は電圧に基づいて達成される。第２のグループは、ブースト又はバックブーストインバータが出力段インバータと組み合わされる比較的簡単な統合（integration）を有する電力変換器を含む。出力段は、共振型であってもバック導出（buck-derived）変換器であってもよい。
【０００４】
第２のグループの電力変換器に関して、整流された入力電圧のデューティサイクルは、出力電流を制御するためだけに変調される。このような電力変換器は、狭い負荷範囲しか扱えない。また、ブーストインバータのソフトスイッチングは、動作範囲の一部のみにおいて起きるか又は全く起きない。
【発明の概要】
【発明が解決しようとする課題】
【０００５】
したがって、集積主電源整流器、ブーストインバータ、及び出力段インバータとして機能し、固体照明負荷に対し力率改善を提供するハーフブリッジインバータを有する電力変換器、及び、当該電力変換器を動作させる方法が当技術分野において必要である。
【課題を解決するための手段】
【０００６】
本開示は、ＬＥＤベースの照明ユニットといった固体照明負荷に対し電力変換を提供する本発明のデバイス及び方法に関する。より具体的には、本明細書に開示される様々な本発明の方法及び装置は、集積主電源整流器、ブーストインバータ及び出力段インバータとして機能し、固体照明負荷に対し力率改善を提供するハーフブリッジインバータを有する電力変換器に関する。
【０００７】
一般に、１つの態様では、電力変換器デバイスは、固体照明負荷に電力を供給するために主電源からの電力を変換するために提供される。電力変換器デバイスは、コンバータと制御回路とを含む。コンバータは、ブーストインバータ及び出力段インバータとして機能するハーフブリッジインバータを含み、ハーフブリッジインバータは、複数のスイッチを含む。制御回路は、ハーフブリッジインバータ内のスイッチにスイッチング信号を提供することによって、電力変換器デバイスの主電源入力電流及び出力電流を独立して制御する。スイッチング信号はデューティサイクル、周波数、及びサイクルスキッピングデューティサイクルを有する。
【０００８】
別の態様では、電力変換器は、発光ダイオード（ＬＥＤ）ベースの照明ユニットに電力を供給するために主電源からの電力を変換するために提供される。発光ダイオード（ＬＥＤ）ベースの照明ユニットは、電力変換器から出力電流を受け取るようにトランスの二次側に接続される。電力変換器は、ハーフブリッジインバータ、共振コンバータ及び制御回路を含む。ハーフブリッジインバータは、複数のスイッチを含む。共振コンバータは、ハーフブリッジインバータと、トランスの一次側との間に接続される。制御回路は、共振コンバータに入力されるパルス電圧信号を発生させるようにハーフブリッジインバータ内のスイッチを選択的に起動するためのハーフブリッジ制御信号を出力する。ハーフブリッジ制御信号は、スイッチングデューティサイクル及びスキッピング動作デューティサイクルを有する方形波を含む。
【０００９】
別の態様では、電力変換器デバイスは、ＬＥＤベースの照明ユニットに電力を供給するために主電源からの電力を変換するために提供される。電力変換器デバイスは、ハーフブリッジインバータ及び制御回路を含む。ハーフブリッジインバータは、複数のスイッチを含み、集積主電源整流器及び出力段として機能し、また、出力段は共振コンデンサ及びトランスを含む。制御回路は、ハーフブリッジインバータ内のスイッチにスイッチング信号を提供することによって、電力変換器デバイスの主電源入力電流及び出力電流を独立して制御する。スイッチング信号は、サイクルスキッピング動作に対応する、デューティサイクル、周波数及びサイクルスキッピングデューティサイクルを有する。サイクルスキッピングデューティサイクルは、複数の差信号を、対応する閾値信号と比較することに基づき、第１の差信号は、電力変換器デバイスの出力電流と基準出力電流との差であり、第２の差信号は、共振コンデンサ電圧と基準コンデンサ電圧との差である。
【００１０】
本開示の目的で本明細書において使用される場合には、「ＬＥＤ」との用語は、任意のエレクトロルミネセントダイオード、又は、電気信号に呼応して放射を発生できる、その他のタイプのキャリア注入／接合ベースシステム（carrier injection/junction-based system）を含むものと理解すべきである。したがって、ＬＥＤとの用語は、次に限定されないが、電流に呼応して発光する様々な半導体ベースの構造体、発光ポリマー、有機発光ダイオード（ＯＬＥＤ）、エレクトロルミネセンスストリップ等を含む。特に、ＬＥＤとの用語は、赤外スペクトル、紫外スペクトル、及び（一般に、約４００ナノメートルから約７００ナノメートルまでの放射波長を含む）可視スペクトルの様々な部分のうちの、１つ又は複数における放射を発生させることができるすべてのタイプの発光ダイオード（半導体及び有機発光ダイオードを含む）を指す。ＬＥＤの幾つかの例としては、次に限定されないが、様々なタイプの赤外線ＬＥＤ、紫外線ＬＥＤ、赤色ＬＥＤ、青色ＬＥＤ、緑色ＬＥＤ、黄色ＬＥＤ、琥珀色ＬＥＤ、橙色ＬＥＤ、及び白色ＬＥＤ（以下に詳しく述べる）がある。また、ＬＥＤは、所与のスペクトルに対して様々な帯域幅（例えば半波高全幅値（ＦＷＨＭ：full widths at half maximum））、及び所与の一般的な色分類内で様々な支配的波長を有する放射（例えば狭帯域幅、広帯域幅）を発生させるように構成及び／又は制御することができることを理解すべきである。
【００１１】
例えば本質的に白色光を生成するＬＥＤ（例えば白色ＬＥＤ）の一態様は、それぞれ、組み合わされることで混合して本質的に白色光を形成する様々なスペクトルのエレクトロルミネセンスを放射する複数のダイを含む。別の実施態様では、白色光ＬＥＤは、第１のスペクトルを有するエレクトロルミネセンスを異なる第２のスペクトルに変換する蛍光体材料に関連付けられる。この実施態様の一例では、比較的短波長で狭帯域幅スペクトルを有するエレクトロルミネセンスが、蛍光体材料を「ポンピング（pumps）」して、当該蛍光体材料は、いくぶん広いスペクトルを有する長波長放射を放射する。
【００１２】
なお、ＬＥＤとの用語は、ＬＥＤの物理的及び／又は電気的なパッケージタイプを限定しないことを理解すべきである。例えば、上述した通り、ＬＥＤは、（例えば個々に制御可能であるか又は制御不能である）異なるスペクトルの放射をそれぞれ放射する複数のダイを有する単一の発光デバイスを指すこともある。また、ＬＥＤは、ＬＥＤ（例えばあるタイプの白色ＬＥＤ）の一体部分と見なされる蛍光体に関連付けられることもある。一般に、ＬＥＤとの用語は、パッケージＬＥＤ、非パッケージＬＥＤ、表面実装ＬＥＤ、チップ・オン・ボードＬＥＤ、ＴパッケージマウントＬＥＤ、ラジアルパッケージＬＥＤ、パワーパッケージＬＥＤ、あるタイプのケーシング及び／又は光学的要素（例えば拡散レンズ）を含むＬＥＤ等を指す。
【００１３】
「光源」との用語は、次に限定されないが、ＬＥＤベース光源（上記に定義した１つ以上のＬＥＤを含む）、白熱光源（例えばフィラメント電灯、ハロゲン電灯）、蛍光光源、りん光性光源、高輝度放電光源（例えばナトリウム蒸気ランプ、水銀蒸気ランプ及びメタルハライドランプ）、レーザー、その他のタイプのエレクトロルミネセンス源、パイロルミネセンス源（例えば火炎）、キャンドルルミネセンス源（例えばガスマントル光源、カーボンアーク放射光源）、フォトルミネセンス源（例えばガス状放電光源）、電子飽和（electronic satiation）を使用する陰極発光源（cathode luminescent source）、ガルバノルミネセンス源、結晶発光（crystallo-luminescent）源、キネルミネセンス（kine-luminescent）源、熱ルミネセンス源、摩擦ルミネセンス（triboluminescent）源、音ルミネセンス（sonoluminescent）源、放射ルミネセンス（radioluminescent）源、及び発光ポリマー（luminescent polymers）を含む、様々な放射源のうちの任意の１つ以上を指すと理解すべきである。
【００１４】
所与の光源は、可視スペクトル内、可視スペクトル外、又は両者の組合せでの電磁放射を発生させる。したがって、「光」及び「放射」との用語は、本明細書では同義で使用される。更に、光源は、一体構成要素として、１つ以上のフィルタ（例えばカラーフィルタ）、レンズ、又はその他の光学的構成要素を含んでもよい。また、光源は、次に限定されないが、指示、表示、及び／又は照明を含む様々な用途に対し構成されることを理解すべきである。
【００１５】
「照明固定具」との用語は、本明細書では、特定の形状因子、アセンブリ又はパッケージの１つ以上の照明ユニットの実施態様又は配置を指して使用される。「照明ユニット」との用語は、本明細書では、同じタイプ又は異なるタイプの１つ以上の光源を含む装置を指して使用される。所与の照明ユニットは、様々な光源の取付け配置、筐体／ハウジング配置及び形状、並びに／又は、電気及び機械的接続構成の何れか１つを有してもよい。更に、所与の照明ユニットは、光源の動作に関連する様々な他の構成要素（例えば制御回路）に任意選択的に関連付けられてもよい（例えば含む、結合される、及び／又は一緒にパッケージされる）。「ＬＥＤベースの照明ユニット」とは、上記した１つ以上のＬＥＤベースの光源を、単独で又はその他の非ＬＥＤベースの光源と組合せで含む照明ユニットを指す。「多重チャネル」照明ユニットとは、それぞれ異なる放射スペクトルを発生させる少なくとも２つの光源を含むＬＥＤベースの又は非ＬＥＤベースの照明ユニットを指すものであり、各異なる光源スペクトルは、多重チャネル照明ユニットの「チャネル」と呼ばれる。
【００１６】
「コントローラ」との用語は、本明細書では、一般に、１つ以上の光源の動作に関連する様々な装置を説明するために使用される。コントローラは、本明細書で説明した様々な機能を実行するように、数多くの方法（例えば専用ハードウエアを用いて）で実施できる。「プロセッサ」は、本明細書で説明した様々な機能を実行するように、ソフトウエア（例えばマイクロコード）を使用してプログラムすることのできる１つ以上のマイクロプロセッサを使用するコントローラの一例である。コントローラは、プロセッサを使用してもしなくても実施でき、また、幾つかの機能を実行する専用ハードウエアと、その他の機能を実行するプロセッサ（例えばプログラムされた１つ以上のマイクロプロセッサ及び関連回路）の組み合わせとして実施されてもよい。本開示の様々な実施態様において使用されてもよいコントローラ構成要素の例としては、次に限定されないが、従来のマイクロプロセッサ、特定用途向けＩＣ（ＡＳＩＣ）、及びフィールドプログラマブルゲートアレイ（ＦＰＧＡ）がある。
【００１７】
様々な実施態様において、プロセッサ又はコントローラは、１つ以上の記憶媒体（本明細書では総称的に「メモリ」と呼び、例えばＲＡＭ、ＰＲＯＭ、ＥＰＲＯＭ及びＥＥＰＲＯＭ、フロッピー（登録商標）ディスク、コンパクトディスク、光学ディスク、磁気テープ等の揮発性及び不揮発性のコンピュータメモリ）と関連付けられる。幾つかの実施態様において、記憶媒体は、１つ以上のプロセッサ及び／又はコントローラ上で実行されると、本明細書で説明した機能の少なくとも幾つかを実行する１つ以上のプログラムによって、コード化されてもよい。様々な記憶媒体は、プロセッサ又はコントローラ内に固定されてもよいし、又は、その上に記憶された１つ以上のプログラムが、本明細書で説明した本発明の様々な態様を実施するように、プロセッサ又はコントローラにロードされるように可搬型であってもよい。「プログラム」又は「コンピュータプログラム」との用語は、本明細書では、一般的な意味で、１つ以上のプロセッサ又はコントローラをプログラムするように使用できる任意のタイプのコンピュータコード（例えばソフトウエア又はマイクロコード）を指して使用される。
【００１８】
「ネットワーク」との用語は、本明細書において使用される場合、（コントローラ又はプロセッサを含む）任意の２つ以上のデバイス間及び／又はネットワークに結合された複数のデバイス間での（例えばデバイス制御、データ記憶、データ交換等のための）情報の転送を容易にする２つ以上のデバイスの任意の相互接続を指す。容易に理解されるように、複数のデバイスを相互接続するのに適したネットワークの様々な実施態様は、様々なネットワークトポロジのうちの何れかを含み、様々な通信プロトコルのうちの何れかを使用することができる。更に、本開示による様々なネットワークにおいて、２つのデバイス間の接続はいずれも、２つのシステム間の専用接続を表わすか、又は、これに代えて非専用接続を表わしてもよい。２つのデバイス用の情報を担持することに加えて、当該非専用接続（例えばオープンネットワーク接続）は、必ずしも２つのデバイス用ではない情報を担持することがある。更に、容易に理解されるように、本明細書で説明されたデバイスの様々なネットワークは、ネットワーク全体に亘る情報の転送を容易にするために、１つ以上のワイヤレス、ワイヤ／ケーブル、及び／又は光ファイバリンクのリンクを使用できる。
【００１９】
なお、前述の概念及び以下でより詳しく説明する追加の概念のあらゆる組み合わせ（これらの概念が互いに矛盾しないものであることを条件とする）は、本明細書で開示される本発明の主題の一部をなすものと考えられることを理解すべきである。特に、本開示の終わりに登場するクレームされる主題のあらゆる組み合わせは、本明細書に開示される本発明の主題の一部であると考えられる。なお、参照により組み込まれる任意の開示内容にも登場する、本明細書にて明示的に使用される用語には、本明細書に開示される特定の概念と最も整合性のある意味が与えられるべきであることを理解すべきである。
【図面の簡単な説明】
【００２０】
図面中、同様の参照符号は、全般的に様々な図を通して同じ部分を指している。更に、図面は必ずしも縮尺通りではなく、重点は全体的に本発明の原理の説明に置かれている。
【００２１】
【図１】図１は、代表的な実施形態による、ハーフブリッジインバータ及び制御回路を含む電力変換器のブロック図を示す。
【図２】図２は、代表的な実施形態による、ハーフブリッジインバータを含む電力変換器におけるパワートレインの回路図を示す。
【図３】図３は、代表的な実施形態による、電力変換器の制御回路のブロック図を示す。
【図４】図４は、別の代表的な実施形態による、ハーフブリッジインバータを含む電力変換器におけるパワートレインの回路図を示す。
【発明を実施するための形態】
【００２２】
全体として、出願人は、集積主電源整流器、ブーストインバータ、及び出力段インバータとして機能するハーフブリッジインバータを含み、ＬＥＤベースの照明ユニットといった固体照明負荷に対し力率改善を提供する、当該固体照明負荷に電力を供給する電力変換器を提供することが有益であることを認識し理解している。
【００２３】
上記に鑑み、本発明の様々な実施形態及び実施態様は、集積（ブリッジレス）主電源整流器、ブーストインバータ、及び出力段インバータとして機能するハーフブリッジインバータを含む電力変換器に関する。更に、ハーフブリッジインバータは、当該ハーフブリッジインバータへのスイッチング信号を操作することによって、（例えばＬＥＤベースの照明ユニット、即ち、ＬＥＤ負荷といった照明負荷への）主電源入力電流及び出力電流の両方を独立して制御する制御回路によって、制御される。したがって、ハーフブリッジインバータは、力率改善を提供することができる。
【００２４】
制御回路は、２つの閾値信号を使用してスイッチング信号を直接発生させる状態変数監視（watching）回路を含む。第１の閾値信号は、電力変換器の出力電流と基準出力電流との差に基づき、第２の閾値信号は、電力変換器の共振コンバータ内のコンデンサにおいて測定されるコンデンサ電圧と基準コンデンサ電圧との差に基づく。基準コンデンサ電圧は、測定された主電源入力電圧、測定されたバス電圧、及び、測定された主電源入力電流と基準主電源入力電流との差から導かれる基準デューティサイクル信号から決定される。
【００２５】
より具体的には、制御回路の内部制御ループでは、電力変換器の出力電流と基準出力電流との差を示す出力電流誤差信号が、閾値差（微分値）を制御する。制御回路の外部制御ループでは、電力変換器の主電源入力電流と基準入力電流との差を示す入力電流誤差信号が、閾値平均（共通モード値）を制御する。つまり、入力電流誤差信号は、測定された平均コンデンサ電圧と比較される基準コンデンサ電圧を提供するように使用される。第２の閾値信号（即ち、閾値平均）は、各主電源半周期からの主電源入力電圧の符号に従って、接地電圧か又はバス電圧のどちらかに対して決定され、それによりブリッジレス動作が可能となる。例えば第２の閾値信号は、正の主電源入力電圧では接地を基準とし、負の主電源入力電圧ではバス電圧を基準とする。
【００２６】
制御回路の外部制御ループは更に、バス電圧を所定限度内に保つために、例えば出力電圧及び電流の最大範囲の「オーバーブースト」を回避するために、サイクルスキッピング動作に切り替わる。例えばサイクルスキッピング動作は、外部調光制御信号（例えば０−１０Ｖ）によって調光が制御される照明負荷（例えば照明負荷の深い調光）を補償するために起動される。つまり、制御回路の外部制御ループは、周期的な中断を引き起こして、スイッチング信号を一定のハイ状態又はロウ状態に保つ。スキッピング動作は周期的であるので、スイッチング信号のデューティサイクルに事実上重ねられるスキッピング動作デューティサイクルを有する。制御回路は更に、壁コンセント調光器での動作と当該壁コンセント調光器との適合性とをサポートする。
【００２７】
したがって、電力変換器は、主電源整流器、ＰＦＣを提供するブースト変換器、及び出力段（即ち、バス電圧をＬＥＤ負荷の出力電圧に変換する変換器）の機能を行うことができる。出力段は、例えばスタック出力部を有するＬＣＣ型コンバータであってもＬＬＣ型コンバータであってもよい、直並列共振コンバータを含む。力率（ＰＦ）が１となる動作が、広い範囲の出力電圧及び電流について実現できる。電力変換器は、入力並びに出力電圧範囲、及び、出力電流範囲、制御可能性並びにロバスト性について、ＰＦ動作の欠点に関する共振コンバータの問題を、集積ＰＦＣによって解決する。当該電力変換器は、もともとゼロ電圧スイッチング（ＺＶＳ）をサポートするので、高周波電力変換を介して小型化を可能にする。
【００２８】
図１は、代表的な実施形態による、ハーフブリッジインバータ及び制御回路を含む電力変換器のブロック図を示す。
【００２９】
図１を参照すると、照明システム１００は、主電源１０１、電力変換器１１０、及び固体照明器具１８０を含む。主電源１０１は、様々な実施態様によって、１００ＶＡＣ、１２０ＶＡＣ、２３０ＶＡＣ及び２７７ＶＡＣといった様々な未整流入力ＡＣライン電圧を提供する。固体照明負荷１８０は、例えば直列に接続される一連のＬＥＤ光源１８１、１８２を含むＬＥＤベースの照明ユニットである。
【００３０】
電力変換器１１０は、代表的な実施形態では、パワートレイン１３０及び関連する制御回路１５０を含む集積ハーフブリッジコンバータである。制御回路１５０は、主電源１０１から主電源電圧ｖｍと、パワートレイン１３０において測定される様々な電圧及び電流信号Ｍを受け取る。制御回路１５０は、主電源電圧ｖｍ及び測定信号Ｍに基づいてパワートレイン１３０を制御するためのハーフブリッジ制御信号Ｓ＿ＨＢを発生させる。様々な実施形態において、パワートレイン１３０は、例えばハーフブリッジ制御信号Ｓ＿ＨＢを受け取るハーフブリッジインバータ、共振コンバータ及びトランスを含む。したがって、パワートレイン１３０は、ハーフブリッジ制御信号Ｓ＿ＨＢに呼応して固体照明負荷１８０に出力電力を提供する。図２及び図４は、パワートレイン（例えばパワートレイン１３０）の例示的な構成を示し、図３は、代表的な実施形態による制御回路（例えば制御回路１５０）の例示的な構成のブロック図である。
【００３１】
図２を参照すると、電力変換器のパワートレイン２３０は、電源回路２１０と、ハーフブリッジインバータ２２０と、共振コンバータ２４０と、トランス２５０と、ＬＥＤ光源２８１によって代表的に表される固体照明負荷２８０に電力を提供する出力回路２６０とを含む。ハーフブリッジインバータ２２０は、電源回路２１０と共振コンバータ２４０との間に接続される。ハーフブリッジインバータ２２０は、例えば金属酸化物半導体電界効果トランジスタ（ＭＯＳＦＥＴ）である電界効果トランジスタ（ＦＥＴ）であり、それぞれ、第１及び第２のスイッチダイオード２２３、２２４の機能を含む第１及び第２のスイッチ２２１、２２２を含む。当然ながら、本教示内容の範囲から逸脱することなく、他のタイプのスイッチングデバイスが組み込まれてもよい。第１のスイッチ２２１は、ハーフブリッジ制御信号Ｓ＿ＨＢによって制御され、第２のスイッチ２２２は、実質的にハーフブリッジ制御信号Ｓ＿ＨＢの逆数（補数）である別のハーフブリッジ制御信号によって制御される。ハーフブリッジ制御信号Ｓ＿ＨＢは、図３を参照して以下に説明される制御回路３５０といったコントローラ（図２では図示せず）によって発生される。
【００３２】
電源回路２１０は、主電源２０１と、ハーフブリッジインバータ２２０の第１及び第２のスイッチ２２１、２２２間にあるノードＮ１との間に直列に接続されるブーストインダクタ２１１を含む。電源回路２１０は更に、バスコンデンサ２１７に並列に接続されるブースト整流器２１５、２１６も含む。主電源２０１は、ブーストインダクタ２１１と、ブースト整流器２１５、２１６との間に配置されるノードＮ２との間に接続される。主電源２０１は、ブーストインダクタ２１１を介して、主電源電圧ｖｍ及び主電源入力電流ｉｍを提供する。主電源２０１は更に、主電源フィルタコンポーネント（図示せず）を含んでもよい。バスコンデンサ２１７は、ブースト整流器２１５、２１６に並列に接続され、バス電圧ｖｂは、バスコンデンサ２１７の両端間の電圧である。
【００３３】
ハーフブリッジ制御信号Ｓ＿ＨＢに呼応して第１及び第２のスイッチ２２１、２２２を動作させることによって、ハーフブリッジインバータ２２０は、バス電圧ｖｂに基づき、入力ノードＮ１において共振コンバータ２４０に整流されたパルス電圧信号ｖｘを提供する。パルス電圧信号ｖｘは、例えば第１及び第２のスイッチ２２１、２２２の動作によって設定されるデューティサイクル及びパルス周波数を有するパルス幅変調（ＰＷＭ）信号であってよい。したがって、ハーフブリッジインバータ２２０は、集積主電源整流器、ブースト又はバックブーストインバータ及び出力段インバータとして機能し、出力段は、共振コンバータ２４０、トランス２５０、及び出力回路２６０を事実上含む。ハーフブリッジインバータ２２０は更に、ハーフブリッジ制御信号Ｓ＿ＨＢに呼応して第１及び第２のスイッチ２２１、２２２を動作させることによって、ＰＦＣを可能にする。
【００３４】
共振コンバータ２４０は、ハーフブリッジインバータ２２０のノードＮ１と、トランス２５０の一次側との間に接続される。図示される実施形態では、共振コンバータ２４０は、第１のコンデンサ２４１、第２のコンデンサ２４２、及びインダクタ２４３を含むＬ（Ｌ）ＣＣコンバータである。第１のコンデンサ２４１及びインダクタ２４３は、ノードＮ１とトランス２５０の一次側との間に直列に接続される。第２のコンデンサ２４２は、トランス２５０の一次側に並列に接続される。第１のコンデンサ２４１は、パルス電圧信号ｖｘからもたらされるコンデンサ電圧ｖＣを提供する。共振コンバータ２４０は、ハーフブリッジインバータ２２０によって出力されたパルス電圧信号ｖｘを、トランス２５０に提供される正弦波電圧信号に効果的に変換する。
【００３５】
トランス２５０の二次側では、出力回路２６０は、整流ダイオード２６１、２６２と、任意選択的にインダクタ２６３、２６４とを含む。整流ダイオード２６１及びインダクタ２６３は、（トランス２５０の二次側の）ノードＮ３とノードＮ４との間に直列に接続される。整流ダイオード２６２は、当該二次側とノードＮ４との間に接続される。インダクタ２６４及び固体照明負荷２８０は、ノードＮ４とノードＮ３との間に直列に接続される。固体照明負荷２８０は、これにより、出力電流ｉｏを、パワートレイン２３０からインダクタ２６４を介して受け取る。
【００３６】
図３は、代表的な実施形態による、図１に示される制御回路１５０といった電力変換器の制御回路のブロック図を示す。
【００３７】
図３を参照すると、制御回路３５０は、主電源３０１から受け取る入力主電源電圧ｖｍと、パワートレイン３３０からのフィードバック信号とに基づいて、図２に示されるような例示的なパワートレイン２３０といったパワートレイン３３０を制御するためのハーフブリッジ制御信号Ｓ＿ＨＢを発生させる。具体的には、制御回路３５０は、例えば図２におけるパワートレイン２３０に記載されるバス電圧ｖｂ、主電源電流ｉｍ、コンデンサ電圧ｖＣ、及び出力電流ｉｏに対応するバス電圧ｖｂ、主電源電流ｉｍ、コンデンサ電圧ｖＣ、及び出力電流ｉｏをパワートレイン３３０から受け取る。したがって、これらのフィードバック信号の説明は繰り返さない。
【００３８】
図示される実施形態では、制御回路３５０は、ハーフブリッジ制御信号Ｓ＿ＨＢを発生させる信号発生器回路３２０（状態変数監視回路とも呼ぶ）を含む。信号発生器回路３２０は、加算器３２１、減算器３２２、第１及び第２の比較器３２３、３２４、第１及び第２のモノフロップ３２５、３２６、サイクルスキッピングイネーブルＯＲゲート３２７、リスタートＯＲゲート３２８、並びにフリップフロップ３２９を含む。
【００３９】
信号発生器回路３２０は、３つの入力部を有する。第１の入力部は、積分された微分誤差信号ΔｖＣｓｗとして示される第１の閾値信号を、内部制御ループを介して受け取る。具体的には、減算器３４１が、所定の基準出力電流ｉｏｒｅｆから、パワートレイン３３０において測定された出力電流ｉｏを減算し、出力電流誤差信号Δｉｏを提供する。基準出力電流ｉｏｒｅｆは、例えば調光制御信号によって決定される。出力電流誤差信号Δｉｏは、例えばゼロとなるように誤差信号Δｉｏを制御する比例積分器３４３によって処理され、積分された微分誤差信号ΔｖＣｓｗが提供される。
【００４０】
信号発生器回路３２０の第２の入力部は、平均コンデンサ電圧ｖＣ０と基準コンデンサ電圧ｖＣ０ｒｅｆとの差に基づく第２の閾値信号（積分された誤差信号ｖＣ０ｓｗとして示される）を、外部制御ループを介して受け取る。平均コンデンサ電圧ｖＣ０は、例えばローパス（ＬＰ）フィルタ３４６を用いて、パワートレイン３３０において測定されたコンデンサ電圧ｖＣを除去することによって得られる。基準コンデンサ電圧ｖＣ０ｒｅｆは、以下に説明されるように、入力電流誤差信号Δｉｍを提供する、主電源入力電流ｉｍと基準主電源入力電流ｉｍｒｅｆとの差に部分的に基づいて第２の乗算器３７２によって決定される。減算器３４２は、基準コンデンサ電圧ｖＣ０ｒｅｆから平均コンデンサ電圧ｖＣ０を減算し、コンデンサ電圧誤差信号ΔｖＣ０を提供する。コンデンサ電圧誤差信号ΔｖＣ０は、例えば比例積分器３４４によって処理されて、積分された誤差信号ｖＣ０ｓｗを提供する。信号発生器回路３２０の第３の入力部は、パワートレイン３３０において測定されたコンデンサ電圧ｖＣを受け取る。
【００４１】
信号発生器回路３２０の加算器３２１は、積分された微分誤差信号ΔｖＣｓｗと積分された誤差信号ｖＣ０ｓｗとを加算し、信号発生器回路３２０の減算器３２２は、主電源電圧ｖｍのゼロ交差を検出するために、積分された誤差信号ｖＣ０ｓｗから積分された微分誤差信号ΔｖＣｓｗを減算する。したがって、加算器３２１及び減算器３２２は、準静的閾値ｖＣｏｆｆ、ｖＣｏｎをそれぞれ提供する。第１の比較器３２３は、コンデンサ電圧ｖＣ（正入力）をｖＣｏｆｆ（負入力）と比較して、第１のモノフロップ３２５に比較結果ｏｆｆ０を出力し、第２の比較器３２４は、コンデンサ電圧ｖＣ（負入力）をｖＣｏｎ（正入力）と比較して、第２のモノフロップ３２６に比較結果ｏｎ０を出力する。第１及び第２のモノフロップ３２５、３２６は、それぞれ、比較結果ｏｆｆ０、ｏｎ０によってトリガされ、これにより、ゼロ交差の検出時のノイズを減少する。
【００４２】
ＯＲゲート３２７は、以下に説明されるように、第１のモノフロップ３２５から出力ｏｆｆ１を、タイマブロックＴｏｆｆ３７５からサイクルスキッピングイネーブル信号Ｅｎを受け取り、ＲＳフリップフロップ３２９のリセット入力部Ｒに出力ｏｆｆ２を提供する。例えば、第１のモノフロップ３２５からの出力ｏｆｆ１又はタイマブロックＴｏｆｆ３７５からのサイクルスキッピングイネーブル信号Ｅｎのうちの少なくとも一方が高いときに、ＯＲゲート３２７は１を出力し、ＲＳフリップフロップ３２９はリセットされる。その一方で、ＯＲゲート３２８は、以下に説明されるように、第２のモノフロップ３２６から出力ｏｎ１を、モノフロップ３７６からリスタート信号Ｒｓｔを受け取り、ＲＳフリップフロップ３２９のセット入力部Ｓに出力ｏｎ２を提供する。例えば、第２のモノフロップ３２６からの出力ｏｎ１又はモノフロップ３７６からのリスタート信号Ｒｓｔのうちの少なくとも一方が高いときに、ＯＲゲート３２８は１を出力し、ＲＳフリップフロップ３２９はセット（又はリセット）される。
【００４３】
ＲＳフリップフロップ３２９の出力は、方形波であり、その周期又はデューティサイクルは、出力ｏｎ２及びｏｆｆ２、サイクルスキッピングイネーブル信号Ｅｎ、及びリスタート信号Ｒｓｔによって決定されるため、可変である。ＲＳフリップフロップ３２９の出力は、排他的ＯＲ演算を行う論理ゲートであるＸＯＲゲート３７９に、主電源電圧ｖｍの符号を表す信号とともに提供され、これにより、パワートレイン３３０を制御するためのハーフブリッジ制御信号Ｓ＿ＨＢが提供される。したがって、ＸＯＲゲート３７９は、ＲＳフリップフロップ３２９の出力が、ハーフブリッジ制御信号Ｓ＿ＨＢについて、主電源電圧ｖｍの正符号において反転されるように、デューティサイクルトグリングを提供する。したがって、閾値ｖＣｏｎ、ｖＣｏｆｆとのコンデンサ電圧ｖＣの交差は、第１及び第２のモノフロップ３２５、３２６、ＯＲゲート３２７、及びＯＲゲート３２８を介して、ＲＳフリップフロップ３２９をセット及びリセットし、結果としてハーフブリッジ制御信号Ｓ＿ＨＢが発生される。
【００４４】
上述したように、制御回路３５０は、スキッピング動作を行う。この動作では、制御回路は、パワートレイン３３０のハーフブリッジスイッチングを周期的に中断して、スイッチングデューティサイクルのうちの１つ又は複数の周期をスキップする。スキッピング動作によって、ハーフブリッジ制御信号Ｓ＿ＨＢは、主電源電圧ｖｍの主電源半周期の符号に依存して、イネーブル信号Ｅｎ及びリスタート信号Ｒｓｔを介し、ロウ状態又はハイ状態に保たれる。イネーブル信号Ｅｎ及びリスタート信号Ｒｓｔは、外部制御ループの内部基準デューティサイクル信号ｄｒｅｆｘに呼応して発生される。内部基準デューティサイクル信号ｄｒｅｆｘは、主電源電圧ｖｍ、主電源電流ｉｍ、及びバス電圧ｖｂに基づいて決定される。
【００４５】
より具体的には、主電源電流ｖｍ及びバス電圧ｖｂ（又はバス電圧ｖｂから導出されるバス電圧信号（この信号もｖｂと示される））は、第１の乗算器３７１に提供される。例えば第１の乗算器３７１は、主電源電圧ｖｍと、バス電圧ｖｂ及び所定のバス電圧設定点ｖｂ０（図示せず）から導出される誤差信号とを受け取る。これに対し、第１の乗算器３７１は、動的主電源電流基準信号ｉｍｒｅｆを決定する。減算器３７３は、第１の乗算器３７１によって出力された主電源電流基準信号ｉｍｒｅｆから主電源電流ｉｍを減算して、入力電流誤差信号Δｉｍを提供する。入力電流誤差信号Δｉｍは、例えば比例積分器３７４によって処理され、上述した内部基準デューティサイクル信号ｄｒｅｆｘが提供される。
【００４６】
パワートレイン３３０を、力率１（ＰＦ＝１）で又はその付近で動作させるためには、主電源電流ｉｍは、主電源電圧ｖｍに比例していなければならない。したがって、主電源電流基準信号ｉｍｒｅｆは、一定ではないが、主電源電圧ｖｍにかなり追随し、内部基準デューティサイクル信号ｄｒｅｆｘを動作変数として使用してフィードバック制御される。当然ながら、主電源電流基準信号ｉｍｒｅｆを決定し、１（又は略１の）力率のために主電源電流ｉｍを評価する別の手段も、本教示内容の範囲から逸脱することなく組み込まれてよい。
【００４７】
更に、主電源電圧ｖｍ及びバス電圧ｖｂ（又はバス電圧ｖｂから導出されるバス電圧信号（この信号もｖｂと示される））は、同様に、第２の乗算器３７２に、フィードバック基準デューティサイクル信号ｄｒｅｆ０とともに提供される。これに対し、第２の乗算器３７２は、減算器３４２に提供される基準コンデンサ電圧ｖＣ０ｒｅｆを決定する。上述のとおり、減算器３４２は、基準コンデンサ電圧ｖＣ０ｒｅｆから平均コンデンサ電圧ｖＣ０を減算し、積分された誤差信号ｖＣ０ｓｗを、比例積分器３４４を介して、信号発生器回路３２０の第２の入力部に提供する。
【００４８】
フィードバック基準デューティサイクル信号ｄｒｅｆ０は、比例積分器３７４によって出力された内部基準デューティサイクル信号ｄｒｅｆｘに基づいて、リミッタ回路３７７によって発生される。リミッタ回路３７７は、内部基準デューティサイクル信号ｄｒｅｆｘが所定の限度内にある場合に、デューティサイクル信号ｄｒｅｆ０を、内部基準デューティサイクル信号ｄｒｅｆｘと等しいものとして出力する。しかし、内部基準デューティサイクル信号ｄｒｅｆｘが、限度を上回る又は下回る場合、デューティサイクル信号ｄｒｅｆ０は、その限度に留められる。したがって、第２の乗算器３７２は、次のとおりに、基準コンデンサ電圧ｖＣ０ｒｅｆを決定する：
ｖＣ０ｒｅｆ＝ｖｂ＊ｄｒｅｆ０（負の値の主電源電圧ｖｍにおいて）及び
ｖＣ０ｒｅｆ＝ｖｂ＊（１−ｄｒｅｆ０）（正の値の主電源電圧ｖｍにおいて）。
【００４９】
その一方で、タイマブロックＴｏｆｆ３７５は、以下に説明されるように、比例積分器３７４によって出力された内部基準デューティサイクル信号ｄｒｅｆｘと、リミッタ回路３７７によって出力されたフラグｘとを受け取る。
【００５０】
一般に、正常状態下では、フィードバック基準デューティサイクル信号ｄｒｅｆ０は、内部基準デューティサイクル信号ｄｒｅｆｘと等しい。正常状態は、固体照明負荷、例えば固体照明負荷２８０の出力電力が、全負荷も含む所定範囲内にある場合に生じる。この出力電力範囲内で、内部基準デューティサイクル信号ｄｒｅｆｘは、特定の所定上限（又は下限）内にあることが期待される。固体照明負荷２８０の調光動作時といった軽負荷又は無負荷では、内部基準デューティサイクル信号ｄｒｅｆｘは、上限（又は下限）を超えないように、リミッタ回路３７７によって所定値に留められる。この場合、フラグｘは１に設定され、これにより、タイマブロックＴｏｆｆ３７５は、イネーブル信号Ｅｎを介して、信号発生器回路３２０のＲＳフリップフロップ３２９をリセットできる。ＲＳフリップフロップ３２９をリセットすることによって、インバータスイッチングは、周期的に無効にされる。次に、内部基準デューティサイクル信号ｄｒｅｆｘは、例えばオフ周期を操作値として用い、オン周期を固定値として用いて、タイマブロックＴｏｆｆ３７５の中断のデューティサイクルを制御する。内部基準デューティサイクル信号ｄｒｅｆｘは、結果としての（有効）デューティサイクル：ｄｒｅｆｘ＝ｄｒｅｆ０＊ｄＴｏｆｆを形成する。ここでは、ｄＴｏｆｆは、サイクルスキッピング動作のデューティサイクルである。当然ながら、タイマＴｏｆｆ３７５中断のデューティサイクルは、本教示内容の範囲から逸脱することなく、固定周波数又は固定オフ周期といった別の手段によって実施されてもよい。
【００５１】
図示される実施形態では、比例積分器３４４は、タイマＴｏｆｆ３７５からイネーブル信号Ｅｎの逆数を受け取る。したがって、（例えばＲＳフリップフロップ３２９のリセットがイネーブル信号Ｅｎによってハイに保たれる）オフ周期時、コンデンサ電圧差信号ΔｖＣ０を受け取る比例積分器３４４は、積分誤差信号ｖＣ０ｓｗの暴走（runaway）を回避するために無効（ディスエーブル）にされる。モノフロップ３７６は、例えばハイ信号を、リスタートゲート３２８を介して、ＲＳフリップフロップ３２９に提供することによって、各オフ周期後にインバータスイッチングを再開する。
【００５２】
したがって、ハーフブリッジスイッチングは、周期的に中断され、ハーフブリッジ制御信号Ｓ＿ＨＢは、主電源電圧ｖｍの半周期に依存して、スキッピング動作に従ってロウ状態か又はハイ状態の何れかに留まる。中断時間（又はサイクルスキッピング時間）は、例えば内部基準デューティサイクル信号ｄｒｅｆｘが、例えば軽負荷の動作設定の結果、所定の上限（又は下限）を超える場合、内部基準デューティサイクル信号ｄｒｅｆｘに呼応して制御される。上述したとおり、スキッピング動作は、周期的であり、したがって、スイッチングデューティサイクルに事実上重ねられるスキッピング動作デューティサイクルを有する。
【００５３】
様々な代替実施形態では、他の制御態様を用いてもよい。例えば軽負荷モードでは、変調器のオン時間が特に制御される。更に、明白な基準出力電流ｉｏｒｅｆがない（例えば、ＤＡＬＩ、ＤＭＸ、０−１０Ｖがない）場合、基準出力電流ｉｏｒｅｆは、所定値に設定されるか、又は例えば壁コンセント調光器に関連して設定されてもよく、この場合、基準出力電流ｉｏｒｅｆは、調光器によって適用される調光器位相角（即ち、調光レベル）から決定される。
【００５４】
上述のとおり、制御回路３５０は、パワートレイン３３０のバス電圧ｖｂ、主電源入力電流ｉｍ、コンデンサ電圧ｖＣ、及び出力電流ｉｏが測定できる限り、当該制御回路がハーフブリッジ制御信号Ｓ＿ＨＢを提供するパワートレイン３３０のタイプに関して限定されない。例えば、図４は、別の代表的な実施形態による、ハーフブリッジインバータを含む電力変換器内のパワートレインの回路図を示す。
【００５５】
図４を参照すると、電力変換器のパワートレイン４３０は、図２を参照して上述したものと実質的に同じである電源回路２１０及びハーフブリッジインバータ２２０を含む。したがって、説明は繰り返さない。パワートレイン４３０は更に、共振コンバータ４４０と、トランス４５０と、ＬＥＤ光源４８１によって代表的に表される固体照明負荷４８０に電力を提供する出力回路４６０とを含む。
【００５６】
共振コンバータ４４０は、ハーフブリッジインバータ２２０のノードＮ１と、トランス４５０の一次側との間に接続される。図示される実施形態では、共振コンバータ４４０は、ノードＮ１とトランス４５０の一次側との間に直列に接続されるコンデンサ４４１及びインダクタ４４３を含むＬＬＣコンバータである。コンデンサ４４１は、パルス電圧信号ｖｘからもたらされるコンデンサ電圧ｖＣを提供する。共振コンバータ４４０は、ハーフブリッジインバータ２２０によって出力されたパルス電圧信号ｖｘを、トランス４５０に提供される正弦波電圧信号に効果的に変換する。
【００５７】
トランス４５０の二次側では、出力回路４６０は、整流ダイオード４６１、４６２と、インダクタ４６３と、コンデンサ４６７、４６８とを含む。整流ダイオード４６１は、トランス４５０の二次側とノードＮ３との間に接続される。インダクタ４６３及び整流ダイオード４６２は、ノードＮ３と、固体照明負荷４８０の入力部に相当するノードＮ４との間に直列に接続される。コンデンサ４６７は、ノードＮ３とノードＮ５との間に接続され、コンデンサ４６８は、ノード４とノードＮ５との間に接続される。固体照明負荷４８０は更に、ノードＮ４とノードＮ５との間に、コンデンサ４６８に並列に接続され、これにより、整流ダイオード４６２を介して、パワートレイン４３０から出力電流ｉｏを受け取る。
【００５８】
本発明の実施形態を幾つか本明細書に説明し例示したが、当業者であれば、本明細書にて説明した機能を実行するための、並びに／又は、本明細書にて説明した結果及び／若しくは１つ以上の利点を得るための様々な他の手段及び／若しくは構造体を容易に想到できよう。このような変更及び／又は改良の各々は、本明細書に説明される本発明の実施形態の範囲内であるとみなす。より一般的には、当業者であれば、本明細書にて説明されるすべてのパラメータ、寸法、材料、及び構成は例示を目的とし、実際のパラメータ、寸法、材料、及び／又は構成は、本発明の教示内容が用いられる１つ以上の特定の用途に依存することを容易に理解できよう。当業者であれば、本明細書にて説明した特定の本発明の実施形態の多くの等価物を、単に所定の実験を用いて認識又は確認できよう。したがって、上記実施形態は、ほんの一例として提示されたものであり、添付の請求項及びその等価物の範囲内で、本発明の実施形態は、具体的に説明された又はクレームされた以外に実施可能であることを理解されるべきである。本開示内容の本発明の実施形態は、本明細書にて説明される個々の特徴、システム、品物、材料、キット、及び／又は方法に関する。更に、２つ以上のこのような特徴、システム、品物、材料、キット、及び／又は方法の任意の組み合わせも、当該特徴、システム、品物、材料、キット、及び／又は方法が相互に矛盾していなければ、本開示内容の本発明の範囲内に含まれる。
【００５９】
本明細書において定義されかつ用いられた定義はすべて、辞書の定義、参照することにより組み込まれた文献における定義、及び／又は、定義された用語の通常の意味に優先されて理解されるべきである。
【００６０】
本明細書及び特許請求の範囲にて使用される「ａ」及び「ａｎ」の不定冠詞は、特に明記されない限り、「少なくとも１つ」を意味するものと理解されるべきである。
【００６１】
なお、特に明記されない限り、ここにクレームされる２つ以上のステップ又は行為を含む任意の方法において、当該方法のステップ又は行為の順番は、記載された方法のステップ又は行為の順番に必ずしも限定されないことは理解されるべきである。更に、特許請求の範囲において、括弧内に示される参照符号及び他の記号は、便宜上、提供されているに過ぎず、特許請求の範囲を限定すると解釈すべきではない。
【図１】
0006038042.tif 000002
【図２】
0006038042.tif 000003
【図３】
0006038042.tif 000004
【図４】
0006038042.tif 000005